(57)【要約】【課題】突起物がなく、洗い場を広く確保することができ、また、清掃も容易となり、鏡等のレイアウトも自由なものとなる縦型水栓を提供する。【解決手段】温調ハンドル７と切替ハンドル８を縦一列に配設した水栓本体６の真下に、吐水口１５，９とシャワー取出口１４を近接して設けて構成する。【選択図】　　　　　　　　図２
2004107921.tif 000002
【特許請求の範囲】
【請求項１】
温度調節ハンドルと切替ハンドルを縦一列に配設した水栓本体の真下に、吐水口とシャワー取出口を近接して設けたことを特徴とする縦型水栓。
【請求項２】
前記水栓本体の上方に、収納棚を一体で設けたことを特徴とする請求項１に記載の縦型水栓。
【請求項３】
前記水栓本体の上方に、照明部を一体で設けたことを特徴とする請求項１に記載の縦型水栓。
【請求項４】
前記水栓本体の上方に、側方へ突出するシャワーフックを設けたことを特徴とする請求項１に記載の縦型水栓。
【請求項５】
前記水栓本体の上方に、側方から斜め手前へ突出するシャワーフックを設けたことを特徴とする請求項１に記載の縦型水栓。
【請求項６】
前記水栓本体は、上方あるいは下方の何れ側からでも、内部に給水配管を導ける構造となっていることを特徴とする請求項１に記載の縦型水栓。
【発明の詳細な説明】
【０００１】
【発明の属する技術分野】
この発明は、浴室に設置される縦型水栓に関するものである。
【０００２】
【従来の技術】
従来、浴室内には図１５に示すような横型の水栓５１が設置されており、この水栓５１は、水栓本体５２が横方向に延びて、その両端側に、温調ハンドル５３と、流調ハンドル５４が設けられ、下方側に、切替ハンドル５６及び、シャワーホース５８と首振り吐水管６０が設けられたものとなっている（例えば、特許文献１参照。）。
【０００３】
【特許文献１】
特開平１１−１５８９５６号公報
【０００４】
【発明が解決しようとする課題】
このような従来の横型水栓の場合、洗い場側へ突出し、洗い場側で身体を洗う場合等において圧迫感が生じ、動作の妨げになる場合があり、使い難いという問題点があった。
また、横型水栓は、鏡の下方に通常設置されるため、鏡を下方まで延ばすことができない等、レイアウト，デザイン上の制約が生ずるという問題点があった。
【０００５】
【課題を解決するための手段】
本発明は、上記従来の問題点に鑑み案出したものであって、突起物がなく、洗い場を広く使用することができ、また鏡のレイアウト等が自由に行える縦型水栓を提供せんことを目的とし、その第１の要旨は、温度調節ハンドルと切替ハンドルを縦一列に配設した水栓本体の真下に、吐水口とシャワー取出口を近接して設けたことである。
また第２の要旨は、前記水栓本体の上方に、収納棚を一体で設けたことである。
また第３の要旨は、前記水栓本体の上方に、照明部を一体で設けたことである。
また第４の要旨は、前記水栓本体の上方に、側方へ突出するシャワーフックを設けたことである。
また第５の要旨は、前記水栓本体の上方に、側方から斜め手前へ突出するシャワーフックを設けたことである。
また第６の要旨は、前記水栓本体は、上方あるいは下方の何れ側からでも、内部に給水配管を導ける構造となっていることである。
【０００６】
【発明の実施の形態】
以下、本発明の実施例を図面に基づいて説明する。
図１は、浴室の一例を示す構成図であり、浴室１には、浴槽２の側方に洗い場３が形成され、洗い場３側の壁面には、桶台４が設けられ、その上方に鏡５が横方向に設置され、この鏡５と直交して縦方向に延びる縦型の水栓本体６が設置されており、この水栓本体６には、温度調節用の温調ハンドル７と、切り替え用の切替ハンドル８が縦一列に設けられて、水栓本体６の真下からシャワーホース１０が延びており、また水栓本体６の真下には、首振り吐水管９が設けられている。
なお、シャワーホース１０の先端に取り付けられたシャワーヘッド１１を掛止するためのシャワーフック１２が、水栓本体６の上部に側方側へ突出状に形成されている。
【０００７】
水栓本体６の側面断面を図２に示し、図３ではその正面図を示し、更に図４では平面断面拡大図を示して、水栓本体６を説明すると、水栓本体６は縦に長いケース１３内に機能部が内蔵されており、ケース１３の前面側に、前述した温調ハンドル７と、切替ハンドル８が縦一列に配置されており、ケース１３の下端側には、前側に吐水口接続部１５が設けられ、その後方側にシャワー取出口１４が設けられており、シャワー取出口１４には、シャワーホース１０が接続され、吐水口接続部１５には、首振り吐水管９が接続されている。
また、ケース１３内には、給水配管１６と、給湯配管１７が配管されており、この給水配管１６と給湯配管１７が、上方側より上面の給水接続部１６ａ及び給湯接続部１７ａに接続されている。
なお、図４に示すように、ケース１３内には、縦方向に空間Ｓが形成されている。
【０００８】
このような縦型の水栓本体６においては、洗い場３側へ突出する突起物がないため、洗い場３の空間を広く確保することができて、洗い場３側で身体を洗う等の動作をする際に、圧迫感が生ずることなく、動作の妨げになることがない。
また、縦型であるため、汚水はケース１３に沿って下方側へ落下するため、汚水が溜り難く、清掃が容易なものとなる。
また、ハンドル７，８と、首振り吐水管９、及びシャワー取出口１４が近い位置にあるため、どのハンドル７，８を回すと、どこから水が吐出されるか明確に分かり、操作性が向上して誤操作が少なくなり、ハンドル７，８は、洗い場３内で風呂椅子に着座した状態で手が届き易い高さに設置することができ、ハンドル７，８の回転操作と、首振り吐水管９やシャワーヘッド１１の操作を連動させて良好に行うことができ、従来のようにハンドルが遠い位置にあると、どこから水が吐出されるかが分かり難かったが、本例ではハンドルと吐水管９が近寄っているために、使用が容易なものとなる。
【０００９】
次に、図５に示す浴室１においては、鏡５を縦長状とし、この縦長状の鏡５に沿って、縦に長い収納棚２１を一体化させた水栓本体６を設置したものであり、例えば図６の拡大斜視図に示すように、水栓本体６から一体状に上方へ立ち上げて、複数段の収納棚２１，２１を形成させておくことができ、また上端部のカバー部２１ａには側方に突出状にシャワーフック１２を設け、また下方側にもシャワーフック１２を設けておくことができ、それぞれのシャワーフック１２には、シャワーヘッド１１を掛止するための縦方向の掛止溝１２ａを形成しておくことができるものである。
【００１０】
このような構成では、水栓本体６と収納棚２１が一体感をなして、良好な収納機能を果たすことができるとともに、浴室内の美観が向上するものとなる。
また、一体状にシャワーフック１２，１２が突出形成されているため、別途シャワーフックを浴室の壁面等に設置する必要がなく、施工作業が容易なものとなり、また、壁面にはシャワーフックが存在しないため、壁面の清掃も容易なものとなる。
また、シャワーフック１２が側方側へ突出しているため、シャワーホース１０がハンドル７，８と干渉せずに使い易いものとなる。
【００１１】
なお、図７の部分拡大斜視図で、また図８の平面構成図で示すように、カバー部２１ａの側方から斜め手前（約３０°斜め手前）へ突出するシャワーフック１２を設けても良く、このシャワーフック１２には、シャワーヘッド１１を掛止するための縦方向の掛止溝１２ａに連通するガイド溝１２ｂを設けて、ガイド溝１２ｂ内にシャワーホース１０を入れて、シャワーヘッド１１を掛止溝１２ａに掛止することができるように構成することができ、このようなシャワーフック１２を設けたことにより、シャワーヘッド１１を鏡５の方向へ向けても、散水範囲がカバー部２１ａと干渉せず、使い易いものとなる。
【００１２】
次に、図９に示す浴室では、水栓本体６上に照明部１８を一体形成したものであり、この照明部１８は、図１０の拡大分解斜視図で示すように、縦方向に配置される蛍光ランプ１８ａと、この蛍光ランプ１８ａの前面及び側面を覆蓋できる着脱可能なカバー１８ｂで構成しておくことができ、このカバー１８ｂは、水栓本体６と一体感のある形状、及び色彩に形成しておき、一体状に上方へ延びる美観が得られるように構成しておくことができる。
【００１３】
なお、縦型の鏡５の側方に沿って、水栓本体６及び照明部１８が設けられているような構成では、鏡５を下方まで延ばすことができ、全身を写すことのできる鏡５を設置することも可能であり、鏡５のレイアウトも自由に行えるものとなる。
即ち、従来では、鏡の下方に水栓金具を設ける必要があるために、鏡を下方側へ延ばすことができないものであったが、本例では、自由に鏡を下方側へ延ばしても、水栓本体６は、使い易い高さ位置に配置することができるものである。
【００１４】
なお、図１１，図１２，図１３は、寒冷地仕様の水栓本体６を示すものであるが、寒冷地仕様では、給水配管１６及び給湯配管１７を横引き配管として、水栓本体６の下方側からケース１３内に導くものである。
即ち、図１３に示すように、ケース１３内の縦方向の空間Ｓ内に、下方側から給水配管１６及び給湯配管１７を立ち上げて、上面側の給水接続部１６ａ、及び給湯接続部１７ａに接続することができるものであり、前記図２〜図４に示した水栓本体６と同一部材で、寒冷地仕様とすることができる。
この場合、横引き配管を隠すために、水栓本体６の下方にカウンター１９を横設し、このカウンター１９の底側に設けた箱体２０内に、良好に給水配管１６及び給湯配管１７を隠蔽させることができ、図１４に示すように、極めてスッキリとした浴室が得られるものとなる。
【００１５】
なお、この場合、カウンター１９の下方の箱体２０内に、シャワー取出口１４及び首振り吐水管９を隠蔽状に収納させても良く、また更には、図１１，図１２に示すように、箱体２０の下方まで首振り吐水管９を延ばして、首振り吐水管９を箱体２０の下方に配置させても良い。
このような配管１６，１７を隠すためのカウンター１９は、洗い場３で風呂椅子に着座した状態でちょうど良い高さ位置に設けられるため、このカウンター１９上にシャンプーや石鹸等を良好に置くことができ、浴室の使用勝手がより良好なものとなる。
【００１６】
【発明の効果】
本発明の縦型水栓は、温度調節ハンドルと切替ハンドルを縦一列に配設した水栓本体の真下に、吐水口とシャワー取出口を近接して設けたことにより、突起が無く、洗い場を広く確保することができるものとなり、また縦型であるため、汚水が溜り難く、掃除が容易となり、また、鏡に沿って設置する場合に、鏡を下方まで延ばすことができ、鏡のレイアウトが容易なものとなる。
また、ハンドルと吐水口及びシャワー取出口が近接しているために、ハンドル操作を誤ることがなく、操作性が向上するものとなる。
【００１７】
また、前記水栓本体の上方に、収納棚を一体で設けたことにより、収納機能が得られ、しかも一体感があり、浴室の美観が向上するものとなる。
【００１８】
また、前記水栓本体の上方に、照明部を一体で設けたことにより、一体感のある照明で浴室の美観が向上するものとなる。
【００１９】
また、前記水栓本体の上方に、側方へ突出するシャワーフックを設けたことにより、シャワーフックを別途壁に設置する必要がないため、壁の清掃が容易となり、また施工作業が容易なものとなる。また、フックが側面にあるため、シャワーホースが水栓のハンドルと干渉せず、使い易いものとなる。
【００２０】
また、前記水栓本体の上方に、側方から斜め手前へ突出するシャワーフックを設けたことにより、シャワーフックを別途壁に設置する必要がないため、壁の清掃が容易となり、また施工作業が容易なものとなる。また、フックが側方から斜め手前へ突出するため、シャワーヘッドからの散水が他のものと干渉せず、使い易いものとなる。
【００２１】
また、前記水栓本体は、上方あるいは下方の何れ側からでも、内部に給水配管を導ける構造となっていることにより、共通部品により寒冷地仕様にもすることができるものとなる。
【図面の簡単な説明】
【図１】縦型の水栓を設けた浴室の構成図である。
【図２】縦型の水栓の側面断面図である。
【図３】図２の正面構成図である。
【図４】縦型の水栓の平面断面拡大構成図である。
【図５】収納棚を一体化した縦型水栓を設置した浴室の構成図である。
【図６】収納棚を備えた縦型水栓の部分の拡大斜視図である。
【図７】側方から斜め手前へ突出するシャワーフックを設けた収納棚を備えた縦型水栓の部分の拡大斜視図である。
【図８】図７の平面構成図である。
【図９】照明部を一体化した縦型水栓を設置した浴室の構成図である。
【図１０】照明部の拡大分解斜視図である。
【図１１】寒冷地仕様の縦型水栓の構成を示す側面断面構成図である。
【図１２】図１１の正面構成図である。
【図１３】図１１及び図１２の平面断面拡大構成図である。
【図１４】カウンターを設置した浴室の構成図である。
【図１５】従来の横型の水栓の斜視構成図である。
【符号の説明】
１　　浴室
３　　洗い場
５　　鏡
６　　水栓本体
７　　温調ハンドル
８　　切替ハンドル
９　　首振り吐水管
１０　　シャワーホース
１１　　シャワーヘッド
１２　　シャワーフック
１３　　ケース
１４　　シャワー取出口
１５　　吐水口接続部
１６　　給水配管
１６ａ　　給水接続部
１７　　給湯配管
１７ａ　　給湯接続部
１８　　照明部
１８ａ　　蛍光ランプ
１８ｂ　　カバー
１９　　カウンター
２０　　箱体
２１　　収納棚
Ｓ　　空間
【図１】
2004107921.tif 000003
【図２】
2004107921.tif 000004
【図３】
2004107921.tif 000005
【図４】
2004107921.tif 000006
【図５】
2004107921.tif 000007
【図６】
2004107921.tif 000008
【図７】
2004107921.tif 000009
【図８】
2004107921.tif 000010
【図９】
2004107921.tif 000011
【図１０】
2004107921.tif 000012
【図１１】
2004107921.tif 000013
【図１２】
2004107921.tif 000014
【図１３】
2004107921.tif 000015
【図１４】
2004107921.tif 000016
【図１５】
2004107921.tif 000017